(57)【要約】【課題】洗浄便座ユニットのカバーを取り外したりする等の面倒な手間を必要とすることなく、温水タンク内に貯留された洗浄水を容易に排水することを可能とする。【解決手段】洗浄水を貯留するための温水タンク４３の下部の側面に排水部５２が設けられ、この排水部５２内の排水弁は、温水タンク４３の外側から所定以上の応力が加えられることにより、温水タンク４３内に貯留されている洗浄水を排水する構成となっている。排水弁６１に応力を加えるための排水レバー４８は、前側に操作部が設けられ、この操作部が操作されることにより排水部５２内の排水弁６１に応力を伝達する。排水弁６１から排水された洗浄水は排水弁カバーを経由して、排水チューブ５３に流れ、排水口５まで導水される。【選択図】図６
2014001575.tif 000002
【特許請求の範囲】
【請求項１】
ノズルから洗浄水を噴出して利用者の局部を洗浄するための洗浄便座装置が備えられたポータブルトイレ装置であって、
前記ノズルから噴出するための洗浄水を貯留して所定温度まで加温するための温水タンクと、
前記温水タンクの下部に設けられ、当該温水タンクの外側から所定以上の応力が加えられることにより、前記温水タンク内に貯留されている洗浄水を排水するための排水弁と、
前記洗浄便座装置の前記ノズルが収納されている本体部の前側に操作部が設けられ、前記操作部が操作されることにより前記排水弁に応力を伝達するための排水レバーと、
を備えているポータブルトイレ装置。
【請求項２】
前記排水弁から排水された洗浄水を、前記洗浄便座装置の本体部の前側の下方に設けられた排水口まで導水するための導水路をさらに備えた請求項１記載のポータブルトイレ装置。
【請求項３】
前記排水レバーには、突起部が設けられ、
前記洗浄便座装置の本体部には、前記操作部が操作され前記排水レバーが前記洗浄便座装置の本体部の後方に押し込まれた際に前記突起部を係止し、前記排水レバーに上側方向の応力が加えられた場合に前記突起部を開放するための係止部が設けられている請求項１または２記載のポータブルトイレ装置。
【請求項４】
前記洗浄便座装置の本体部には、周囲がリブにより構成されることにより、前記排水弁と前記導水路との接続部から漏洩した洗浄水を前記排水口まで導水するための排水溝が設けられている請求項２または３記載の温水洗浄便座付ポータブルトイレ装置。
【請求項５】
ノズルから洗浄水を噴出して利用者の局部を洗浄するための洗浄便座装置であって、
前記ノズルから噴出するための洗浄水を貯留して所定温度まで加温するための温水タンクと、
前記温水タンクの下部に設けられ、当該温水タンクの外側から所定以上の応力が加えられることにより、前記温水タンク内に貯留されている洗浄水を排水するための排水弁と、
前記ノズルが収容されている本体部の前側に操作部が設けられ、前記操作部が操作されることにより前記排水弁に応力を伝達するための排水レバーと、
を備えている洗浄便座装置。
【発明の詳細な説明】
【技術分野】
【０００１】
本発明は、温水タンクに貯留させヒータ等により加温した洗浄水をノズルから噴出して、便座に着座した利用者の局部を洗浄する洗浄便座装置および、このような洗浄便座装置を備えたポータブルトイレ装置に関する。
【背景技術】
【０００２】
近年、家庭内や公共施設に設置されている多くのトイレには、便座に着座した利用者の局部をノズルから噴出した洗浄水により洗浄する温水洗浄便座装置が取り付けられている。このような温水洗浄便座装置では、内部に温水タンクが設けられ、この温水タンクに洗浄水を貯留し、この温水タンクに貯留した洗浄水を洗浄ノズルから噴出して、便座に着座した利用者の局部を洗浄するという動作が行われる。また、このような温水洗浄便座装置にあっては、温水タンクに貯留された洗浄水は、ヒータにより温水化され、予め設定された温度付近の洗浄水となるような制御が行われる。
【０００３】
このような温水洗浄便座装置では、電源がオン状態であれば、温水タンクに貯留されている洗浄水が温められるため、例え周囲が低温となった場合でも凍結するようなことはない。しかし、冬季等の気温が低い環境下において主電源オフや洗浄水を温めるためのヒータをオフとするような状態で長時間放置されると、温水タンクに貯留された洗浄水が凍結してしまい温水タンクが破損してしまう可能性がある。そのため、このような温水タンクの破損を防止するために、例えば、取扱説明書には温度調整スイッチ（温水モード）をオフにしないような注意書きや、温水タンクに貯留した洗浄水を水抜きして温水タンク内部を空にする方法等の注意書きをして対策をしている。
【０００４】
また、近年の高齢化に伴う要介護者の増加により、トイレまでの移動が困難な要介護者のために、水道が設けられていない場所等で使用されるポータブルトイレ装置の需要も増えており、このようなポータブルトイレ装置においても、洗浄便座装置を取り付けたものが市販されるようになっている。
【０００５】
このようなポータブルトイレ装置では、特定の要介護者のみが利用することが多く、普段使用している要介護者が入院したり介護サービス等を利用して長期間別の場所で生活する等の可能性があるため、長期間使用されなくなってしまうような状況が発生し易い。よって、ポータブルトイレ装置に温水洗浄便座装置を設置した場合、温水タンクを排水して空にする必要性が発生する頻度が高い。
【０００６】
このような温水タンクの排水のため、例えば、特許文献１、２には、温水洗浄便座ユニットの側面に温水タンクの洗浄水を排水するための水抜き穴を設け、水抜き穴を封止していた排水栓を取り外すことにより温水タンク内の洗浄水を便器内に排水することができるような水抜き構造を有するトイレ装置も提案されている。
【先行技術文献】
【特許文献】
【０００７】
【特許文献１】特開平８−９３０３２号公報
【特許文献２】特開平８−９３０３３号公報
【発明の概要】
【発明が解決しようとする課題】
【０００８】
しかし、歩行や移動が困難な要介護者のベッド等の近くに置かれて使用されるポータブルトイレでは、利用する際の安定性や、移動時に手で体重を支えることを可能とするための等の理由から左右にアームレストや支持部材が設けられたり、背後に背もたれ等が設けられている。そのため、このようなポータブルトイレに設置される温水洗浄便座装置（温水洗浄便座ユニット）では、左右の側面は塞がれてしまい、上記の特許文献１、２に示されたような水抜き穴を設けることはできない。
【０００９】
そして、一般的に温水タンクは、温水洗浄便座本体の奥の方に設置されるため、このようなポータブルトイレ装置において温水タンクの洗浄水を排水しようとすると、温水洗浄便座本体のカバーを取り外して、温水洗浄便座ユニットから温水タンクを取り外さなければならない。
【００１０】
しかし、上述したようにポータブルトイレ装置では温水タンクを排水して空にする必要性が発生する頻度が高いため、温水タンク内の洗浄水を排水する度に温水洗浄便座ユニットから温水タンクを取り外すのでは排水のための手間が煩わしいという問題があった。
【００１１】
そこで、本発明は、上記問題点を解決することを課題とし、洗浄便座装置のカバーを取り外したりする等の面倒な手間を必要とすることなく、温水タンク内に貯留された洗浄水を容易に排水することが可能な洗浄便座装置およびポータブルトイレ装置を提供することを目的とする。
【課題を解決するための手段】
【００１２】
上記目的を達成するために、本発明のポータブルトイレ装置は、ノズルから洗浄水を噴出して利用者の局部を洗浄するための洗浄便座装置が備えられたポータブルトイレ装置であって、
前記ノズルから噴出するための洗浄水を貯留して所定温度まで加温するための温水タンクと、
前記温水タンクの下部に設けられ、当該温水タンクの外側から所定以上の応力が加えられることにより、前記温水タンク内に貯留されている洗浄水を排水するための排水弁と、
前記洗浄便座装置の前記ノズルが収納されている本体部の前側に操作部が設けられ、前記操作部が操作されることにより前記排水弁に応力を伝達するための排水レバーとを備えている。
【００１３】
本発明によれば、温水タンクには排水弁が設けられていて、洗浄便座装置の本体部の前側に排水レバーの操作部が設けられているため、操作部を操作して排水レバーを介して排水弁に応力を加えることにより温水タンク内に貯留された洗浄水は排水弁から排水される。そのため、本発明によれば、洗浄便座装置のカバーを取り外したりする等の面倒な手間を必要とすることなく、温水タンク内に貯留された洗浄水を容易に排水することが可能になる。
【００１４】
また、本発明のポータブルトイレ装置は、前記排水弁から排水された洗浄水を、前記洗浄便座装置の本体部の前側の下方に設けられた排水口まで導水するための導水路をさらに備えるようにしてもよい。
【００１５】
本発明によれば、排水弁から排水された洗浄水は、導水路により排水口まで導水されるため、温水タンクと離れた場所に排水口が設けられた場合でも排水された洗浄水を確実に排水口に導水することが可能となる。
【００１６】
また、本発明のポータブルトイレ装置では、前記排水レバーには、突起部が設けられ、
前記洗浄便座装置の本体部には、前記操作部が操作され前記排水レバーが前記洗浄便座装置の本体部の後方に押し込まれた際に前記突起部を係止し、前記排水レバーに上側方向の応力が加えられた場合に前記突起部を開放するための係止部が設けられているようにしてもよい。
【００１７】
本発明によれば、操作部を操作して排水レバーを押し込むことにより、排水レバーに設けられた突起部が、洗浄便座装置の本体部に設けられた係止部によって係止されるため、使用者が排水レバーの操作部から手を離しても温水タンク内の洗浄水の排水が継続され、温水タンク内に貯留された全ての洗浄水の排水を容易に行うことが可能となる。
【００１８】
また、本発明のポータブルトイレ装置では、前記洗浄便座装置の本体部には、周囲がリブにより構成されることにより、前記排水弁と前記導水路との接続部から漏洩した洗浄水を前記排水口まで導水するための排水溝を設けるようにしてもよい。
【００１９】
本発明によれば、排水弁と導水路との接続部から洗浄水が漏洩したとしても、漏洩した洗浄水は排水溝により排水口まで導水されるため、漏洩した洗浄水が洗浄便座装置内の意図しない場所に流れてしまうことを防ぐことが可能となる。
【００２０】
また、本発明の洗浄便座装置は、ノズルから洗浄水を噴出して利用者の局部を洗浄するための洗浄便座装置であって、
前記ノズルから噴出するための洗浄水を貯留して所定温度まで加温するための温水タンクと、
前記温水タンクの下部に設けられ、当該温水タンクの外側から所定以上の応力が加えられることにより、前記温水タンク内に貯留されている洗浄水を排水するための排水弁と、
前記ノズルが収容されている本体部の前側に操作部が設けられ、前記操作部が操作されることにより前記排水弁に応力を伝達するための排水レバーとを備えている。
【発明の効果】
【００２１】
本発明によれば、洗浄便座装置のカバーを取り外したりする等の面倒な手間を必要とすることなく、温水タンク内に貯留された洗浄水を容易に排水することが可能になる。
【図面の簡単な説明】
【００２２】
【図１】本発明の一実施形態に係る温水洗浄便座付ポータブルトイレ装置の正面斜視図である。
【図２】本発明の一実施形態に係る温水洗浄便座付ポータブルトイレ装置の背面斜視図である。
【図３】図１、図２中に示した温水洗浄便座ユニット３の正面斜視図である。
【図４】外装カバー３１ａを外した、温水洗浄便座本体部３１の内部構造の正面斜視図である。
【図５】本発明の一実施形態に係る温水洗浄便座付ポータブルトイレ装置における水の流れを示した図である。
【図６】図４に示した温水洗浄便座本体部３１の内部構造において、他の構造を省略して温水タンク４３の排水構造のみを説明するための図である。
【図７】図６に示した排水部５２の構成を説明するための図である。
【図８】排水弁６１の構成を示す図（図８（Ａ））および、この排水弁６１の断面図（図８（Ｂ））である。
【図９】排水弁６１が閉状態の場合の断面図（図９（Ａ））および図９（Ａ）の断面図の切断部位を示す図（図９（Ｂ））である。
【図１０】図９（Ａ）の断面図における排水レバー４８の操作部周辺の拡大図である。
【図１１】図９（Ａ）の断面図における排水弁６１周辺の拡大図である。
【図１２】排水弁６１が開状態の場合の断面図（図１２（Ａ））および図１２（Ａ）の断面図の切断部位を示す図（図１２（Ｂ））である。
【図１３】図１２（Ａ）の断面図における排水レバー４８の操作部周辺の拡大図である。
【図１４】図１２（Ａ）の断面図における排水弁６１周辺の拡大図である。
【発明を実施するための形態】
【００２３】
以下、本発明の実施形態を、図面を用いて詳細に説明する。但し、以下に示す実施形態は、本発明の技術的思想を具体化するための洗浄便座装置及び洗浄便座付ポータブルトイレ装置を例示するものであって、本発明をこの洗浄便座装置及び洗浄便座付ポータブルトイレ装置に特定することを意図するものではない。本発明は特許請求の範囲に含まれるその他の実施形態のものにも適応し得るものである。
【００２４】
図１は本発明の一実施形態に係る温水洗浄便座付ポータブルトイレ装置１の正面斜視図であり、図２は温水洗浄便座付ポータブルトイレ装置１の背面斜視図である。本実施形態に係る温水洗浄便座付ポータブルトイレ装置１は、イス本体２と、温水洗浄便座ユニット（洗浄便座装置）３と、汚水バケツ４と、給水タンク５と、を備えて構成されている。
【００２５】
イス本体２は、脚部を兼ねる左支持部２１と、脚部を兼ねる右支持部２２と、左支持部２１と右支持部２２との間で固定されている背もたれ２３と、で構成されている。また、イス本体２は、このイス本体２における座部を、後述の温水洗浄便座ユニット３を構成する便座部３２により構成されている。なお、イス本体２は、左支持部２１と右支持部２２とに、使用者が着座した際に、使用者の肘が位置するあたりに肘掛を備える等、他の構成を備えていても構わない。
【００２６】
温水洗浄便座ユニット３は、詳細を後述するが、ノズルから洗浄水を噴出して利用者の局部を洗浄するための装置であり、イス本体２の左支持部２１と右支持部２２との間で保持されており、温水洗浄便座本体部３１と、温水洗浄便座本体部３１の前方に位置する便座部３２と、で構成されている。
【００２７】
汚水バケツ４は、便座部３２の下方において、左支持部２１と右支持部２２との間で保持されており、使用された後の洗浄水等を汚水として溜めておくような構成となっている。また、この汚水バケツ４は、イス本体２の前方側へスライド可能に取り付けられている。そして、汚水バケツ４内の汚水を廃棄する場合、イス本体２から汚水バケツ４を取り外し、この汚水バケツ４を廃棄場所へ持ち運んで汚水の廃棄が行われる。
【００２８】
給水タンク５は、図２に示すように、イス本体２の背面側で、温水洗浄便座本体部３１の下方において、左支持部２１と右支持部２２との間で保持されている。そして、この給水タンク５には、２つの給水口５ａ、５ｂが設けられている。この２つの給水口５ａ、５ｂは、それぞれキャップで覆われており、洗浄水として使用するための水を給水タンク５内へ注入する場合、一方のキャップを外して水を注入するような構成となっている。
【００２９】
温水洗浄便座付ポータブルトイレ装置１は、以上のような構成となっている。そして、温水洗浄便座付ポータブルトイレ装置１は、給水タンク５に注入された水を用いて、後述のノズルから洗浄水を噴出することにより、使用者の局部を洗浄し、この洗浄後の洗浄水を汚水バケツ４で受ける構成となっている。したがって、一般的な温水洗浄便座付トイレ装置のように、洗浄水として使用する水を供給するための上水道や、洗浄後の洗浄水を流すための下水道との接続を必要としないものとなっている。そして、このような温水洗浄便座付ポータブルトイレ装置１は、例えば、トイレまでの移動が困難な要介護者のベッドの近くにおいて使用することで、介護用のトイレ装置として利用することができる。また、例えば、地震等の災害による上下水道が不通のような状況で使用することで、緊急用のトイレ装置として利用することができる。
【００３０】
次に、温水洗浄便座付ポータブルトイレ装置１を構成する温水洗浄便座ユニット３の詳細について説明する。図３は、温水洗浄便座ユニット３の正面斜視図である。温水洗浄便座ユニット３は、後方に汚水洗浄便座本体部３１を備え、温水洗浄便座本体部３１の前方に便座部３２が連結された構成となっている。なお、温水洗浄便座本体部３１については詳細を後述する。
【００３１】
便座部３２は、開口３２ａを備えた樹脂製の環状部３２ｂで構成されている。そして、この環状部３２ｂに使用者が着座して温水洗浄便座付ポータブルトイレ装置１は使用される。また、便座部３２は、環状部３２ｂの後部が軸支部３２ｃで支持されており、軸支部３２ｃを介して回動できるようになっている。更に、便座部３２では、環状部３２ｂの内部に図示しない便座ヒータが備わっており、この便座ヒータの発熱によって、環状部３２ｂが加温される構成となっている。なお、図示していないが、便座部３２を覆う便座蓋を温水洗浄便座付ポータブルトイレ装置１は備えている。
【００３２】
次に、温水洗浄便座本体部３１の詳細について説明する。図３に示すように、温水洗浄便座本体部３１は、外側を樹脂製の外装カバー３１ａによって覆われている。この外装カバー３１ａには、各種のスイッチからなる本体操作部３３が設けられている。
【００３３】
本体操作部３３を構成する各種のスイッチには、洗浄水の温度設定を行うためのスイッチや、局部の洗浄の開始・停止を行うスイッチや、後述する洗浄ノズルの位置を調整するためのスイッチ等が設けられており、これらスイッチを操作した信号が制御基板へ入力される。なお、温水洗浄便座付ポータブル装置１は、外装カバー３１ａに設けられた本体操作部３３の他に、温水洗浄便座本体部３１と有線或いは無線により接続可能なリモコン用の操作部を備える構成となっていても構わない。また、温水洗浄便座本体部３１の内部には、商用電源を供給するための電源コード３４が接続されており、外装カバー３１ａにはこの電源コード３４を通すための孔が設けられている。そして、外装カバー３１ａの側面には、脱臭カセット３５の一部が露出している。
【００３４】
次に、温水洗浄便座本体部３１の内部構造の説明を行う。図４は、温水洗浄便座本体部３１の外側を覆う外装カバー３１ａを外した、温水洗浄便座本体部３１の内部構造の正面斜視図である。
【００３５】
温水洗浄便座本体部３１は、内部に給水ポンプ４１と、制御基板ユニット４２と、温水タンク４３と、温風乾燥ユニット４４と、ノズルユニット４５と、脱臭ユニット４６とを内部に備えている。
【００３６】
給水ポンプ４１は、給水タンク５の水を温水タンク４３に供給するためのものである。この供給ポンプ４１としては、定量式電磁ポンプやギヤポンプ等、各種のポンプを用いることができる。
【００３７】
次に、本実施形態の温水洗浄便座付ポータブルトイレ装置１における水の流れを図５のブロック図を参照して説明する。図５は、温水洗浄便座付ポータブルトイレ装置１における水の流れを示した図である。
【００３８】
図５に示されるように、給水タンク５に蓄えられた水は、給水ポンプ４１により汲み上げられて、図４においては図示されていない逆支弁５０（図示せず）を経由して温水タンク４３に送られる。そして、温水タンク４３では、送られてきた水は洗浄水として貯留されヒータ（図示せず）により所定温度まで加温された後に、水圧によりノズルユニット４５に送られる。そして、ノズルユニット４５では、温水タンク４３から送られてきた洗浄水が人体の局部に向けて噴出される。
【００３９】
なお、図５に示す逆止弁５０は、温水タンク４３の洗浄水が給水タンク５へ逆流するのを防止するためのものであり、図４においては図示していないが、例えば制御基板ユニット４２の背面側に配置されている。
【００４０】
制御基板ユニット４２は、ＣＰＵやメモリ等が備わった制御基板を備えており、制御基板と各種の構成部との間は有線・無線によって接続されている。そして、制御基板ユニット４２は、本体操作部３３を介して行われた使用者の操作等に基づいて、所定各種の構成部の制御をプログラムに従って行う。
【００４１】
温水タンク４３は、ノズルから噴出するための洗浄水を貯留して所定温度まで加温するためのタンクであり、樹脂製の箱状部材からなる。温水タンク４３は、給水ポンプ４１とチューブ（図示せず）を介してつながっており、また、ノズルユニット４５とチューブ（図示せず）を介してつながっている。
【００４２】
温風乾燥ユニット４４は、温風用ヒータ（図示せず）と、乾燥ファンと、ファンケースとを備えて構成されている。そして、使用者が、本体操作部３３の温風乾燥開始スイッチを操作することで、温風用ヒータと乾燥ファンが動作を開始し、ファンケースを介して、使用者の局部周辺に温風が送られる。
【００４３】
ノズルユニット４５は、おしり用の洗浄水経路とビデ用の洗浄水経路を備えるノズルと、温水タンク４３から供給された温水をおしり用の洗浄水経路と、ビデ用の洗浄水経路とに切り替える水路切換えユニットと、ノズルを前後方向に移動させる移動手段とを備えて構成されている。そして、使用者が、本体操作部３３のスイッチを操作することにより、ノズルが移動手段によって汚水バケツ４内へ進出し、洗浄水をノズル先端から噴出することにより、使用者の局部の洗浄が行われる。
【００４４】
脱臭ユニット４６は、脱臭カセット３５と、脱臭ファンと、ファンケースと、脱臭フィルタ４７と、を備えて構成されている。脱臭ファンは、使用者が便座部３２に着座すると動作し、脱臭フィルタ４７を介して、汚水バケツ４の空気をファンケースへ吸い込む。そして、脱臭ファンによって吸い込まれた空気は、脱臭カセット３５を通じて臭い成分が吸着・分解等されて外部へ排気される。
【００４５】
また、温水洗浄便座本体部３１には、温水タンク４３内の洗浄水を排水するための排水レバー４８が設けられていて、図４では、この排水レバー４８の先端である操作部のみが図示されている。その排水レバー４８の構成の詳細については後述する。
【００４６】
次に、図４に示した温水洗浄便座本体部３１の内部構造において、他の構造を省略して温水タンク４３の排水構造のみを図６に示して説明する。
【００４７】
図６に示されるように、温水タンク４３には、上部にフロートスイッチ４３１や負圧弁４３２が設けられている。フロートスイッチ４３１は、温水タンク４３内部に貯留された洗浄水の水量（水位）を検出するために設けられている。また、負圧弁４３２は、洗浄水の噴出や温度変化等に伴って温水タンク４３内の圧力が外気圧よりも低くなった場合に、温水タンク４３内と外気を連通するために設けられている。なお、温水タンク４３の内部は、負圧弁４３２の作動によって外気と連通するとき以外は、外気と連通しないように気密構造とされている。
【００４８】
また、図６には示されていないが、温水タンク４３内に貯留された洗浄水を加温するためのヒータや、貯留した洗浄水の温度を検出するサーミスタ等により構成された温度検出センサが温水タンク４３に設けられている。
【００４９】
さらに、本実施形態の温水洗浄便座付ポータブルトイレ装置１では、温水タンク４３の下部の側面に排水部５２が設けられている。
【００５０】
次に、図６に示した排水部５２の構成を図７を参照して説明する。排水部５２は、温水タンク４３の下部に設けられた開口部に、排水弁６１、Ｏリング６２、排水弁カバー６３が装着されることにより構成されている。
【００５１】
排水弁６１は、温水タンク４３の下部に設けられた開口部に挿入されて固定されており、この温水タンク４３の外側から所定以上の応力が加えられることにより、温水タンク４３内に貯留されている洗浄水を排水する構成となっている。
【００５２】
そして、排水弁カバー６３には、図６に示すように排水チューブ５３が接続されており、排水弁６１から排水された洗浄水は、排水弁カバー６３を経由して、排水チューブ５３に流れるようになっている。
【００５３】
次に、図７に示した排水弁６１の詳細な構造を図８を参照して説明する。排水弁６１は、図８（Ａ）に示されるように、排水弁ケース７１に弁パッキン７２、弁バネ７３、弁棒７４が装着されることにより構成されている。そして、弁棒７４は、弁パッキン７２を貫通して係合することにより弁パッキン７２を保持するとともに、弁バネ７３により温水タンク４３の外側方向に付勢されている。そのため、弁棒７４に外部から応力が加わっていない場合には、弁パッキン７２が弁棒７４により排水弁ケース７１に押し付けられることにより排水弁６１は閉じた状態となる。
【００５４】
そして、弁棒７４に対して外側方向から応力が加わると弁パッキン７２と排水弁ケース７１との間に隙間が発生することにより洗浄水の流路が構成され、温水タンク４３内の洗浄水が排水されるような構成となっている。
【００５５】
次に、この排水弁６１の断面図を図８（Ｂ）に示す。図８（Ｂ）の右図は、排水弁６１のＡ−Ａ'断面図である。
【００５６】
次に、図６に戻って温水タンク４３の排水構造について説明を行う。温水タンク４３の下部に設けられた排水部５２には排水チューブ５３が接続されている。この排水チューブ５３は、温水洗浄便座本体部３１に設けられた排水溝５４内に設置されており、排水部５２の排水弁６１から排水された洗浄水を、温水洗浄便座本体部３１の前側の下方に設けられた排水口５５まで導水するための導水路として機能する。
【００５７】
なお、温水洗浄便座本体部３１に設けられている排水溝５４は、周囲がリブにより構成されることにより、排水部５２（排水弁６１）と排水チューブ５３との接続部から洗浄水が漏洩した場合でも、漏洩した洗浄水を排水口５５まで導水するような構成となっている。
【００５８】
そのため、この排水溝５４が設けられていることにより、たとえ排水部５２（排水弁６１）と排水チューブ５３との接続部から洗浄水が漏洩したとしても、漏洩した洗浄水が温水洗浄便座ユニット３内の意図しない場所に流れてしまうことを防ぐことが可能となる。
【００５９】
また、温水洗浄便座本体部３１内には、排水弁６１に応力を加えるための排水レバー４８が設けられている。この排水レバー４８は、ノズルユニット４５を収容している温水洗浄便座本体部３１の前側に操作部が設けられ、この操作部が操作されることにより排水部５２内の排水弁６１に応力を伝達するような構造となっている。
【００６０】
そのため、温水タンク４３内に貯留された洗浄水を排水しようとする使用者が、排水レバー４８の操作部を指等により操作すると、排水弁６１に応力が加えられ洗浄水の排水が行われる。
【００６１】
次に、図６に示した温水タンク４３の排水構造の動作を図９〜図１４を参照して説明する。
【００６２】
図９〜図１１は、排水弁６１が閉状態の場合を説明するための図であり、図１２〜図１４は、排水弁６１が開状態の場合を説明するための図である。
【００６３】
まず、排水弁６１が閉状態の場合の断面図を図９に示す。図９（Ａ）は、図９（Ｂ）に示したＢ−Ｂ'面の断面図である。
【００６４】
また、図９（Ａ）の断面図における排水レバー４８の操作部周辺の拡大図を図１０に示し、排水弁６１周辺の拡大図を図１１に示す。
【００６５】
図１０を参照すると、排水レバー４８には、突起部４８１が設けられ、温水洗浄便座本体部３１には、係止部９０が設けられていることが分かる。この係止部９０は、操作部が操作され排水レバー４８が温水洗浄便座本体部３１の後方に押し込まれた際に突起部４８１を係止し、排水レバー４８に上側方向の応力が加えられた場合に突起部４８１を開放するような構造となっている。
【００６６】
図１０では、排水レバー４８は温水洗浄便座本体部３１の後方に押し込まれていないため、突起部４８１は係止部９０により係止されていない。そのため、図１１に示すように、排水弁６１では、弁パッキン７２は排水弁ケース７１に押し付けられ、排水弁６１は閉状態となっている。
【００６７】
次に、排水弁６１が開状態の場合の断面図を図１２に示す。図１２（Ａ）は、図１２（Ｂ）に示したＣ−Ｃ'面の断面図である。
【００６８】
また、図１２（Ａ）の断面図における排水レバー４８の操作部周辺の拡大図を図１３に示し、排水弁６１周辺の拡大図を図１４に示す。
【００６９】
図１３では、排水レバー４８の操作部が使用者の指等により操作されたことにより温水洗浄便座本体部３１の後方に押し込まれているため、突起部４８１が係止部９０により係止されている。
【００７０】
そのため、図１４に示されるように、弁棒７４が排水レバー４８により押されることにより、弁パッキン７２が排水弁ケース７１から離れて排水弁６１が開状態となっている。その結果、温水タンク４３内に貯留されていた洗浄水は、排水弁６１を介して外部に排水され、排水チューブ５３を経由して排水口５５から汚水バケツ４に排水されることになる。
【００７１】
なお、温水タンク４３内の全ての洗浄水の排水が完了して、排水レバー４８をもとの状態に戻す場合には、図１３に示した状態において排水レバー４８を上側方向に押すことにより、突起部４８１が係止部９０から外れてバネ等の付勢力により元の位置に戻ることになる。
【００７２】
このように排水レバー４８側に突起部４８１を設け、温水洗浄便座本体部３１側に係止部９０を設けることにより、使用者が排水レバー４８の操作部から手を離しても温水タンク４３内の洗浄水の排水が継続され、温水タンク４３内に貯留された全ての洗浄水の排水を容易に行うことが可能となる。
【００７３】
そして、本実施形態では、使用者が排水レバー４８の操作部を操作して排水弁６１に応力を加えることにより温水タンク４３内に貯留された洗浄水は排水弁６１、排水チューブ５３を通って排水口５５から汚水バケツ４に排水される。そのため、本実施形態の温水洗浄便座付ポータブルトイレ装置１によれば、温水洗浄便座ユニット３の外装カバー３１ａを取り外したりする等の面倒な手間を必要とすることなく、温水タンク４３内に貯留された洗浄水を容易に排水することが可能になる。
【００７４】
なお、本実施形態では、排水レバー４８を温水洗浄便座本体部３１の前面側に設けた場合について説明したが、構造的に背面側に設けることが可能な場合には、排水レバー４８を温水洗浄便座本体部３１の背面側に設けるようにしてもよい。
【符号の説明】
【００７５】
１    温水洗浄便座付ポータブルトイレ装置
２    イス本体
３    温水洗浄便座ユニット
４    汚水バケツ
５    給水タンク
５ａ、５ｂ    給水口
２１    左支持部
２２    右支持部
３１    温水洗浄便座本体部
３１ａ    外装カバー
３２    便座部
３３    本体操作部
３４    電源コード
３５    脱臭カセット
４１    給水ポンプ
４２    制御基板ユニット
４３    温水タンク
４４    温風乾燥ユニット
４５    ノズルユニット
４６    脱臭ユニット
４７    脱臭フィルタ
４８    排水レバー
５０    逆止弁
５２    排水部
５３    排水チューブ
５４    排水溝
５５    排水口
６１    排水弁
６２    Ｏリング
６３    排水弁カバー
７１    排水弁ケース
７２    弁パッキン
７３    弁バネ
７４    弁棒
９０    係止部
４３１    フロートスイッチ
４３２    負圧弁
４８１    突起部
【図１】
2014001575.tif 000003
【図２】
2014001575.tif 000004
【図３】
2014001575.tif 000005
【図４】
2014001575.tif 000006
【図５】
2014001575.tif 000007
【図６】
2014001575.tif 000008
【図７】
2014001575.tif 000009
【図８】
2014001575.tif 000010
【図９】
2014001575.tif 000011
【図１０】
2014001575.tif 000012
【図１１】
2014001575.tif 000013
【図１２】
2014001575.tif 000014
【図１３】
2014001575.tif 000015
【図１４】
2014001575.tif 000016